【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】
エラストマー性フッ化ビニリデンコポリマーの硬化法であって、
（ａ）（ｉ）エラストマー性フッ化ビニリデンコポリマーガムと（ii）有機塩基および金属酸化物もしくは金属水酸化物を含有する組成物とを１５０ないし２５０℃の温度にて混合し、それにより不飽和エラストマー性フッ化ビニリデンコポリマーを製造する工程と、
（ｂ）該不飽和エラストマー性フッ化ビニリデンコポリマーと、ポリヒドロキシ化合物、ポリアミンおよび有機過酸化物からなる群から選ばれる少なくとも１つの化合物を含有する組成物とを混合して、配合された不飽和フルオロエラストマーを形成する工程と、
（ｃ）該配合された不飽和フルオロエラストマーを架橋する工程と
を含むことを特徴とするエラストマー性フッ化ビニリデンコポリマーの硬化法。
【請求項２】
請求項１に記載の方法により製造されることを特徴とする硬化品
【請求項３】
（ｉ）エラストマー性フッ化ビニリデンコポリマーガムと（ii）有機塩基および金属酸化物もしくは金属水酸化物を含有する組成物とを１５０ないし２５０℃の温度にて混合し、それにより不飽和エラストマー性フッ化ビニリデンコポリマーを製造する工程を含む方法により製造されることを特徴とする硬化性不飽和フルオロエラストマー組成物。
【手続補正２】
【補正対象書類名】明細書
【補正対象項目名】００７５
【補正方法】変更
【補正の内容】
【００７５】
このデータから、逐次硬化法は、比較例ＥおよびＦの組成物のスコーチ時間と比較して実施例５の組成物のスコーチ時間が長いことからわかるように、改善されたスコーチ安全性を有する組成物を提供することがわかる。実施例５の逐次硬化法はまた、比較例ＥおよびＦの組成物と比較して実施例５の組成物の高い引張強度から明らかなように、改善された物理的特性も付与する。さらに、実施例５の組成物は、対照の組成物と比較して改善された圧縮永久歪耐性を示す。
以下に、本発明の好ましい態様を示す。
１．  エラストマー性フッ化ビニリデンコポリマーの硬化法であって、
（ａ）  （ｉ）エラストマー性フッ化ビニリデンコポリマーガムと（ｉｉ）有機塩基および金属酸化物もしくは金属水酸化物を含有する組成物とを１５０ないし２５０℃の温度にて混合し、それにより不飽和エラストマー性フッ化ビニリデンコポリマーを製造する工程と、
（ｂ）  該不飽和エラストマー性フッ化ビニリデンコポリマーと、ポリヒドロキシ化合物、ポリアミンおよび有機過酸化物からなる群から選ばれる少なくとも１つの化合物を含有する組成物とを混合して、配合された不飽和フルオロエラストマーを形成する工程と、
（ｃ）  該配合された不飽和フルオロエラストマーを架橋する工程と
を含んでなることを特徴とするエラストマー性フッ化ビニリデンコポリマーの硬化法。
２．  前記エラストマー性フッ化ビニリデンコポリマーガムが、フッ化ビニリデンと、ヘキサフルオロプロピレン、テトラフルオロエチレン、プロピレンおよびペルフルオロ（メチルビニル）エーテルからなる群から選ばれる少なくとも１つのコモノマーとの共重合化単位を含有することを特徴とする１．に記載のエラストマー性フッ化ビニリデンコポリマーの硬化法。
３．  前記エラストマー性フッ化ビニリデンコポリマーガムが２ないし４５重量％のフッ化ビニリデン含有量を有することを特徴とする１．に記載のエラストマー性フッ化ビニリデンコポリマーの硬化法。
４．  前記エラストマー性フッ化ビニリデンコポリマーガムが、フッ化ビニリデンと、テトラフルオロエチレンと、プロピレンとのコポリマーであることを特徴とする１．に記載のエラストマー性フッ化ビニリデンコポリマーの硬化法。
５．  前記エラストマー性フッ化ビニリデンコポリマーガムと、有機塩基および金属酸化物もしくは金属水酸化物を含有する組成物とを約１８０℃ないし約２２０℃の温度にて混合することを特徴とする１．に記載のエラストマー性フッ化ビニリデンコポリマーの硬化法。
６．  前記有機塩基が、４級アンモニウム塩、４級ホスホニウム塩、環状アミンおよび一官能性アミンからなる群から選ばれることを特徴とする１．に記載のエラストマー性フッ化ビニリデンコポリマーの硬化法。
７．  前記金属酸化物もしくは金属水酸化物が、水酸化カルシウムおよび酸化マグネシウムからなる群から選ばれることを特徴とする１．に記載のエラストマー性フッ化ビニリデンコポリマーの硬化法。
８．  有機塩基および金属酸化物を含有する前記組成物がさらに共働成分を含有することを特徴とする１．に記載のエラストマー性フッ化ビニリデンコポリマーの硬化法。
９．  有機塩基および金属酸化物を含有する前記組成物がさらにトリアリルイソシアヌレートおよびトリメチルアリルイソシアヌレートからなる群から選ばれる共働成分を含有することを特徴とする１．に記載のエラストマー性フッ化ビニリデンコポリマーの硬化法。
１０．  前記工程（ｂ）が、前記不飽和エラストマー性フッ化ビニリデンコポリマーと、ビスフェノールＡＦ、ヒドロキノン、ビスフェノールＡおよびジアミノビスフェノールＡＦからなる群から選ばれるポリヒドロキシ化合物を含有する組成物とを混合することにより行われることを特徴とする１．に記載のエラストマー性フッ化ビニリデンコポリマーの硬化法。
１１．  前記工程（ｂ）が、前記不飽和エラストマー性フッ化ビニリデンコポリマーと、α，α′−ビス（ｔ−ブチルペルオキシ）ジイソプロピルベンゼン、２，５−ジメチル−２，５−ジ（ｔ−ブチルペルオキシ）ヘキサンおよびジクミルペルオキシドからなる群から選ばれる有機過酸化物を含有する組成物とを混合することにより行われることを特徴とする１．に記載のエラストマー性フッ化ビニリデンコポリマーの硬化法。
１２．  前記工程（ｂ）において前記不飽和エラストマー性フッ化ビニリデンコポリマーと混合する前記組成物が、ポリヒドロキシ化合物と過酸化物との混合物であることを特徴とする１．に記載のエラストマー性フッ化ビニリデンコポリマーの硬化法。
１３．  前記工程（ｂ）が、前記不飽和エラストマー性フッ化ビニリデンコポリマーと、有機過酸化物および共働成分を含有する組成物とを混合することにより行われることを特徴とする１．に記載のエラストマー性フッ化ビニリデンコポリマーの硬化法。
１４．  前記不飽和エラストマー性フッ化ビニリデンコポリマーと、ポリヒドロキシ化合物および促進剤を含有する組成物とを混合することを特徴とする１．に記載のエラストマー性フッ化ビニリデンコポリマーの硬化法。
１５．  （ｉ）エラストマー性フッ化ビニリデンコポリマーガムと（ｉｉ）有機塩基および金属酸化物もしくは金属水酸化物を含有する組成物とを１５０ないし２５０℃の温度にて混合し、それにより不飽和エラストマー性フッ化ビニリデンコポリマーを製造する工程を含んでなる方法により製造されることを特徴とする硬化性不飽和フルオロエラストマー組成物。
１６．  前記エラストマー性フッ化ビニリデンコポリマーガムが、フッ化ビニリデンと、ヘキサフルオロプロピレン、テトラフルオロエチレン、プロピレンおよびペルフルオロ（メチルビニル）エーテルからなる群から選ばれる少なくとも１つのコモノマーとの共重合化単位を含有することを特徴とする１５．に記載の硬化性不飽和フルオロエラストマー組成物。
１７．  前記エラストマー性フッ化ビニリデンコポリマーガムが２〜４５重量％のフッ化ビニリデン含有量を有することを特徴とする１５．に記載の硬化性不飽和フルオロエラストマー組成物。
１８．  前記エラストマー性フッ化ビニリデンコポリマーガムが、フッ化ビニリデンと、テトラフルオロエチレンと、プロピレンとのコポリマーであることを特徴とする１５．に記載の硬化性不飽和フルオロエラストマー組成物。
１９．  前記エラストマー性フッ化ビニリデンコポリマーガムと、有機塩基および金属酸化物もしくは金属水酸化物を含有する組成物とを約１８０℃ないし約２２０℃の温度にて混合することを特徴とする、１５．に記載の硬化性不飽和フルオロエラストマー組成物。
２０．  前記有機塩基が、４級アンモニウム塩、４級ホスホニウム塩、環状アミンおよび一官能性アミンからなる群から選ばれることを特徴とする１５．に記載の硬化性不飽和フルオロエラストマー組成物。
２１．  前記金属酸化物もしくは金属水酸化物が、水酸化カルシウムおよび酸化マグネシウムからなる群から選ばれることを特徴とする１５．に記載の硬化性不飽和フルオロエラストマー組成物。
２２．  有機塩基および金属酸化物を含有する前記組成物がさらにトリアリルイソシアヌレートおよびトリメチルアリルイソシアヌレートからなる群から選ばれる共働成分を含有することを特徴とする１５．に記載の硬化性不飽和フルオロエラストマー組成物。
２３．  前記工程（ｂ）が、前記不飽和エラストマー性フッ化ビニリデンコポリマーと、ビスフェノールＡＦ、ヒドロキノン、ビスフェノールＡおよびジアミノビスフェノールＡＦからなる群から選ばれるポリヒドロキシ化合物を含有する組成物とを混合することにより行われることを特徴とする１５．に記載の硬化性不飽和フルオロエラストマー組成物。
２４．  前記工程（ｂ）が、前記不飽和エラストマー性フッ化ビニリデンコポリマーと、α，α′−ビス（ｔ−ブチルペルオキシ）ジイソプロピルベンゼン、２，５−ジメチル−２，５−ジ（ｔ−ブチルペルオキシ）ヘキサンおよびジクミルペルオキシドからなる群から選ばれる有機過酸化物を含有する組成物とを混合することにより行われることを特徴とする１５．に記載の硬化性不飽和フルオロエラストマー組成物。
２５．  前記工程（ｂ）において前記不飽和エラストマー性フッ化ビニリデンコポリマーと混合する前記組成物が、ポリヒドロキシ化合物と過酸化物との混合物であることを特徴とする１５．に記載の硬化性不飽和フルオロエラストマー組成物。
２６．  前記工程（ｂ）が、前記不飽和エラストマー性フッ化ビニリデンコポリマーと、有機過酸化物および共働成分を含有する組成物とを混合することにより行われることを特徴とする１５．に記載の硬化性不飽和フルオロエラストマー組成物。
２６．  前記不飽和エラストマー性フッ化ビニリデンコポリマーと、ポリヒドロキシ化合物および促進剤を含有する組成物とを混合することを特徴とする１５．に記載の硬化性不飽和フルオロエラストマー組成物。
２７．  １．に記載の方法により製造されることを特徴とする硬化品。